(57)【要約】【課題】注文に対し、品質降格やサイズ外れによる材料の不足を防止可能なスラブ巾決定方法を提供する。【解決手段】連続鋳造において鋳造するスラブのスラブ巾を決定するスラブ巾決定方法であって、各スラブに設定された、鋳造可能な鋳造可能巾の最大値である鋳造可能最大巾、または、鋳造可能巾の最小値である鋳造可能最小巾に基づいて、複数のスラブを降順または昇順に並べ替える並び替えステップと、並べ替えた複数のスラブを、降順または昇順に、鋳造可能巾が重複するスラブを同一の巾グループとしてグループ化するグループ化ステップと、巾グループ毎に、鋳造可能巾が重複する重複範囲内でスラブ巾を決定するスラブ巾決定ステップと、を含む。【選択図】図３
2018032270.tif 000002
【特許請求の範囲】
【請求項１】
連続鋳造において鋳造するスラブのスラブ巾を決定するスラブ巾決定方法であって、
各前記スラブに設定された、鋳造可能な鋳造可能巾の最大値である鋳造可能最大巾、または、前記鋳造可能巾の最小値である鋳造可能最小巾に基づいて、複数の前記スラブを降順または昇順に並べ替える並び替えステップと、
並べ替えた複数の前記スラブを、降順または昇順に、前記鋳造可能巾が重複する前記スラブを同一の巾グループとしてグループ化するグループ化ステップと、
前記巾グループ毎に、前記鋳造可能巾が重複する重複範囲内で前記スラブ巾を決定するスラブ巾決定ステップと、
を含む、スラブ巾決定方法。
【請求項２】
前記巾グループの数が２以上の場合、前記スラブ巾決定ステップでは、
前記鋳造可能巾の重複範囲の最小値が最大である最大巾グループの前記スラブ巾を、前記重複範囲における最小巾に決定し、
前記鋳造可能巾の重複範囲の最大値が最小である最小巾グループの前記スラブ巾を、前記重複範囲における最大巾に決定する、請求項１に記載のスラブ巾決定方法。
【請求項３】
前記巾グループの数が３以上の場合、前記スラブ巾決定ステップでは、
前記鋳造可能巾の重複範囲の最小値が最大である最大巾グループ、および、前記鋳造可能巾の重複範囲の最大値が最小である最小巾グループ以外の前記巾グループの前記スラブ巾を、前記最大巾グループまたは前記最小巾グループのいずれかの前記スラブ巾を基準として、１スラブあたりの巾変更量の整数倍を加減した値であり、かつ、前記巾グループの前記重複範囲内の値に決定する、請求項１または２に記載のスラブ巾決定方法。
【発明の詳細な説明】
【技術分野】
【０００１】
本発明は、連続鋳造において鋳造するスラブのスラブ巾を決定するスラブ巾決定方法に関する。
【背景技術】
【０００２】
厚板や薄板等の製品を製造する際に圧延素材として用いられるスラブは、連続鋳造設備により溶鋼を連続鋳造して生成される直方体の鋼片である。転炉から連続鋳造設備に鍋単位で供給された溶鋼は、連続鋳造設備により連続する１つの鋳片として鋳造された後、所定の長さに切断され、スラブとなる。ここで、鍋から連続鋳造設備へ溶鋼を供給する１単位を１チャージという。また、生産管理上、同条件で一度に製造する重量を大きくするために複数チャージの溶鋼を連続鋳造設備へ供給して鋳造することがあり、この複数チャージの溶鋼を連続して鋳造する１単位を１キャストという。各スラブやチャージ、キャストの製造条件を決定するキャスト編成は、操業制約や生産管理上の制約、下工程への材料供給バランス、歩留等の指標を総合的に加味して、最適な計画を策定することが大きな役割となる。
【０００３】
従来のキャスト編成では、例えば材質が同一等、製造条件が共通する設計スラブを集計し、その巾が同一または近似しているものを集めて、設計スラブのスラブ巾の広い方から狭い方に並べた後、チャージ重量の制約範囲内で鋳造可能な設計スラブをグループ化して行われていた。しかし、実際の操業においては、チャージ間（継目）ではタンディッシュでの湯面変動が発生し易く、介在物が溶鋼内に混入する可能性が高い。このため、かかる従来のキャスト編成では、１キャストで製造された鋳片のうち、溶鋼のチャージ間に当たる継目部位で品質的な部位特性が生じ、当該継目部位の品質は他の部位に比べて低下する。したがって、継目部位が採取されたスラブは目標品質を満たさず、注文に対して材料が不足すること（いわゆる、注文の紐切れ）があった。
【０００４】
例えば特許文献１、２には、条件が共通する対象材をグループ化し、そのグループ化した対象材を幅の大小に応じて整列させ、これに対しチャージの繋目を境界にして複数の領域に区分し、その各々に対して行った品質のランク付けに応じて対象材を複数の区分領域に割当ててキャスト編成を行う、鉄鋼業の生産管理方法が開示されている。このキャスト編成によれば、チャージの繋目（継目、継目前、継目後等）の低品質の部位を区分して各々を品質でランク付けし、品質の要求が高い注文に対してはランクの高い部位の材料が使用されるように、品質の要求が低い注文に対してはランクの低い部位の材料が使用されるように生産管理を行うことができる。これにより、操業変動によって要求された品質の材料が不足もしくは余剰になることを抑制できる。
【先行技術文献】
【特許文献】
【０００５】
【特許文献１】特開平５−２８５５０１号公報
【特許文献２】特開平６−２４７５１６号公報
【発明の概要】
【発明が解決しようとする課題】
【０００６】
しかしながら、上記特許文献１、２では、品質が悪い部位としてチャージ繋目のみを対象としており、当該部位以外での注文の紐切れの抑制効果が十分ではなかった。例えば、同一キャスト内で複数種類のスラブ巾を鋳込む際に異巾を繋ぐのに必要となる巾変更部のような、１つの鋳片において巾が均一ではないスラブでは品質降格やサイズ偏差が発生しやすく、注文の紐切れとなりやすい。
【０００７】
そこで、本発明は、上記問題に鑑みてなされたものであり、本発明の目的とするところは、注文に対し、品質降格やサイズ外れによる材料の不足を防止することが可能な、新規かつ改良されたスラブ巾決定方法を提供することにある。
【課題を解決するための手段】
【０００８】
上記課題を解決するために、本発明のある観点によれば、連続鋳造において鋳造するスラブのスラブ巾を決定するスラブ巾決定方法であって、各スラブに設定された、鋳造可能な鋳造可能巾の最大値である鋳造可能最大巾、または、鋳造可能巾の最小値である鋳造可能最小巾に基づいて、複数のスラブを降順または昇順に並べ替える並び替えステップと、並べ替えた複数のスラブを、降順または昇順に、鋳造可能巾が重複するスラブを同一の巾グループとしてグループ化するグループ化ステップと、巾グループ毎に、鋳造可能巾が重複する重複範囲内でスラブ巾を決定するスラブ巾決定ステップと、を含む、スラブ巾決定方法が提供される。
【０００９】
巾グループの数が２以上の場合、スラブ巾決定ステップでは、鋳造可能巾の重複範囲の最小値が最大である最大巾グループのスラブ巾を、重複範囲における最小巾に決定し、鋳造可能巾の重複範囲の最大値が最小である最小巾グループのスラブ巾を、重複範囲における最大巾に決定してもよい。
【００１０】
また、巾グループの数が３以上の場合、スラブ巾決定ステップでは、鋳造可能巾の重複範囲の最小値が最大である最大巾グループ、および、鋳造可能巾の重複範囲の最大値が最小である最小巾グループ以外の巾グループのスラブ巾を、最大巾グループまたは最小巾グループのいずれかのスラブ巾を基準として、１スラブあたりの巾変更量の整数倍を加減した値であり、かつ、巾グループの重複範囲内の値に決定してもよい。
【発明の効果】
【００１１】
以上説明したように本発明によれば、注文に対し、品質降格やサイズ外れによる材料の不足を防止することができる。
【図面の簡単な説明】
【００１２】
【図１】本発明の第１の実施形態に係るスラブ巾決定方法の概要を説明するための説明図である。
【図２】同実施形態に係る情報処理装置の機能構成を示す機能ブロック図である。
【図３】同実施形態に係るスラブ巾決定方法を示すフローチャートである。
【図４】同実施形態に係るスラブ巾決定方法を説明するための説明図である。
【図５】本発明の第２の実施形態に係るスラブ巾決定方法の一例を示すフローチャートである。
【図６】本発明の第３の実施形態に係るスラブ巾決定方法の一例を示すフローチャートである。
【図７】図６に示すステップＳ３４０の処理を説明する説明図である。
【図８】比較例のキャスト編成結果を示す説明図である。
【図９】実施例１のキャスト編成結果を示す説明図である。
【図１０】実施例２のキャスト編成結果を示す説明図である。
【図１１】実施例３のキャスト編成結果を示す説明図である。
【発明を実施するための形態】
【００１３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１４】
＜１．第１の実施形態＞
［１−１．概要］
まず、図１を参照して、本発明の第１の実施形態に係るスラブ巾決定方法の概要について説明する。図１は、本実施形態に係るスラブ巾決定方法の概要を説明するための説明図である。
【００１５】
スラブの設計においては、注文仕様である製品巾に対して各工程の歩留を考慮して熱延巾を算出し、算出された熱延巾でスラブを製造するために必要なスラブの鋳造可能巾の範囲を設定している。スラブの設計前に実施される品質設計では、過去操業実績等に基づく鋳造可能巾の範囲内で任意の巾を狙いのスラブ巾（すなわち、品質設計スラブ巾）として一次決定している。
【００１６】
材質やサイズ等の製造条件に応じて、要求されるスラブ巾は様々であるため、鋳造される鋳片の巾は変更する必要があるが、当該鋳片の巾が変更される巾変更部では品質降格、サイズ偏差が起こりやすい。このため、鋳片の巾の変更はなるべく少なくすることが望ましい。また、１回の処理で変更可能な巾変更量の上限は設備に応じて決まっている。鋳片の巾差が大きくなると、巾変更前のスラブ巾から設定するスラブ巾となるまでに生じる巾切替のためのスラブの枚数が多くなり、歩留まりが低下する。
【００１７】
例えば、図１左側に示すように、スラブ巾は異なるが、製造条件が共通し、１キャストで製造する複数のスラブがある。図１左側のスラブ１〜１０の順に鋳片からスラブを採取しようとすると、鋳片の巾をその都度変更する必要があるため、歩留まりが低下し、鋳片の巾変更部では品質降格やサイズ偏差が起こりやすい。
【００１８】
ここで、各スラブには、要求されるスラブ巾（以下、「品質設計スラブ巾」ともいう。）に対して許容されている鋳造可能巾がそれぞれ設定されている。そこで、本実施形態に係るスラブ巾決定方法では、注文に対し、品質降格やサイズ外れによる材料の不足を防止するため、図１右側に示すように、各スラブを鋳造可能巾に基づき並び替えるとともに、各スラブの鋳造可能巾を考慮してスラブを巾グループ（図１右側の巾グループＡ、Ｂ、Ｃ）にグループ化し、巾グループ毎に鋳片の巾を変更する。これにより、鋳片の巾変更部を低減することができ、品質降格を防止することができる。以下、本実施形態に係るスラブ巾決定方法について詳細に説明していく。
【００１９】
［１−２．情報処理装置］
まず、図２に基づいて、本実施形態に係るスラブ巾決定方法を実行する情報処理装置１００について説明する。図２は、本実施形態に係る情報処理装置１００の機能構成を示す機能ブロック図である。情報処理装置１００は、例えば、演算処理を実行可能なＣＰＵを備えるコンピュータ等である。本実施形態に係る情報処理装置１００は、例えば、図２に示すように、注文スラブ情報取得部１１０と、スラブ並び替え処理部１２０と、グルーピング部１３０と、スラブ巾決定部１４０と、出力部１５０とからなる。
【００２０】
注文スラブ情報取得部１１０は、各注文に対応するスラブの製造条件等を管理する注文スラブ情報記憶部１０から、キャスト編成の対象となるスラブの注文スラブ情報を取得する。注文スラブ情報取得部１１０は、例えば、納期等に応じて１日、１週間、あるいは１か月といった単位で、注文スラブ情報記憶部１０から注文スラブ情報を取得する。なお、取得された注文スラブ情報は、同一キャストで製造可能な、製造条件が共通するスラブを表す共通グループ情報が付与されていてもよく、共通グループ情報のない、各注文の製造条件等の情報のみであってもよい。注文スラブ情報取得部１１０により取得された注文スラブ情報は、スラブ並び替え処理部１２０へ出力される。
【００２１】
スラブ並び替え処理部１２０は、注文スラブ情報取得部１１０から入力された注文スラブ情報に基づいて、各スラブを鋳造順に並び替える処理を行う。まず、スラブ並び替え処理部１２０は、取得された注文スラブ情報に共通グループ情報が付与されていない場合には、注文スラブ情報に基づき、材質等の製造条件が共通するスラブを同一キャストで製造可能なスラブとしてまとめる。この際、まとめられたスラブに、同一キャストで製造可能であることを示す共通グループ情報を付与してもよい。そして、スラブ並び替え処理部１２０は、共通グループ情報が同一のスラブを、各スラブの品質設計スラブ巾を基準に設定された鋳造可能最大巾および鋳造可能最小巾に基づき並び替える。
【００２２】
本実施形態に係るスラブ並び替え処理部１２０では、スラブの鋳造可能最大巾及び鋳造可能最小巾に基づいてスラブの採取順に並び替えることで、後述の鋳片の巾の切り替える回数を低減することが可能となる。なお、スラブ並び替え処理部１２０によるスラブ並び替え処理の詳細については後述する。
【００２３】
グルーピング部１３０は、スラブ並び替え処理部１２０により並び替えられたスラブについて、鋳造可能巾範囲が重複するスラブを同一の巾グループとしてグループ化する。グルーピング部１３０は、並び替えられたスラブを降順または昇順に、鋳造可能巾範囲が重複する重複範囲内に含まれるスラブ同士を区切り、グループ化する。
【００２４】
スラブ巾決定部１４０は、グルーピング部１３０によりグループ化された巾グループ毎に、各巾グループの重複範囲内でスラブ巾を決定する。各巾グループのスラブ巾決定処理の詳細については後述する。スラブ巾決定部１４０は、決定した各巾グループのスラブ巾を、スラブ並び替え処理部１２０により決定されたスラブの採取順序、グルーピング部１３０により決定された巾グループとともに、出力部１５０へ出力する。
【００２５】
出力部１５０は、スラブ並び替え処理部１２０、グルーピング部１３０およびスラブ巾決定部１４０により決定された各種情報を、外部端末へ出力する。出力部１５０から出力される情報は、すなわち、スラブのキャスト編成を表すキャスト編成情報であり、出力部１５０から外部端末を介してオペレータ等に提示される。
【００２６】
以上、本実施形態に係る情報処理装置１００について説明した。
【００２７】
［１−３．スラブ巾決定方法］
次に、図３及び図４に基づいて、本実施形態に係るスラブ巾決定方法について説明する。なお、図３は、本実施形態に係るスラブ巾決定方法を示すフローチャートである。図４は、本実施形態に係るスラブ巾決定方法を説明するための説明図である。以下に説明する本実施形態に係るスラブ巾決定方法は、同一キャストにて製造可能なスラブについて、鋳造するスラブ巾を決定するための方法であり、すでに同一キャストにて製造可能なスラブがキャスト編成対象として特定されているものとする。
【００２８】
（ステップＳ１００：スラブ並べ替え処理）
まず、スラブ並び替え処理部１２０により、注文スラブ情報取得部１１０から入力された注文スラブ情報に基づいて、各スラブを鋳造順に並び替える（Ｓ１００）。ここで、スラブ並び替え処理部１２０に入力される注文スラブ情報は、注文スラブ情報取得部１１０によって注文スラブ情報記憶部１０から取得された情報であり、キャスト編成対象とする注文に関する情報がスラブ並び替え処理部１２０に入力される。注文スラブ情報には、納期や製造条件等の情報が含まれており、以下説明するスラブ巾決定方法を実行するにあたっては、少なくとも、品質設計スラブ巾、鋳造可能最小巾及び鋳造可能最大巾が含まれていればよい。品質設計スラブ巾は、要求されるスラブ巾であり、鋳造可能最小巾及び鋳造可能最大巾は、品質設計スラブ巾に対して許容されるスラブ巾の最小値及び最大値である。
【００２９】
スラブ並び替え処理部１２０は、入力された各注文の注文スラブ情報の鋳造可能最小巾及び鋳造可能最大巾に基づき、各スラブを鋳造順に並び替える。スラブの並び替えは、鋳造可能最小巾の昇順または鋳造可能最大巾の降順のいずれかとする。鋳造可能最小巾または鋳造可能最大巾が同一である場合は、スラブの並び替えが鋳造可能最小巾に基づくときには鋳造可能最大巾が小さい順に並べ、スラブの並び替えが鋳造可能最大巾に基づくときには鋳造可能最小巾が大きい順に並べる。
【００３０】
例えば、図４に示すように、各スラブの品質設計スラブ巾をＷｎ、鋳造可能最小巾をＷｎｍｉｎ、鋳造可能最大巾をＷｎｍａｘとする（ｎは、各スラブを特定する固有の番号であり、１〜Ｎの整数値である。Ｎは、キャスト編成対象のスラブの最大値である。）。図４に示す例では、各注文を鋳造可能最小巾の昇順で並び替えている。すなわち、キャスト編成対象のスラブ１〜１０を、鋳造可能最小巾Ｗｎｍｉｎが最小のスラブ１から順に並べている。スラブ１０は、キャスト編成対象のスラブ１〜１０のうち鋳造可能最小巾Ｗｎｍｉｎが最大のスラブである。図４において鋳造可能最小巾Ｗｎｍｉｎが同一のスラブがあった場合には、鋳造可能最大巾をＷｎｍａｘが小さいスラブが先に並べられる。
【００３１】
このように、鋳造可能巾に基づいてスラブを並び替えることで、巾切替量を最小にすることができ、鋳片の巾切替回数を低減することができる。例えば、最小スラブ巾のスラブと最大スラブ巾のスラブとが並んでいる場合、１回の処理で変更可能な巾変更量の上限を超える可能性が高く、その分鋳片の巾切替回数が多くなり、巾切替のためのスラブの枚数が多くなる。そこで、本実施形態のように鋳造可能巾に基づいてスラブを並び替えることで、巾切替量を大きく変更するのを抑制でき、鋳片の巾切替回数を低減することができる。
【００３２】
（ステップＳ１１０：巾グループ化処理）
次いで、グルーピング部１３０により、ステップＳ１００にて並び替えられたスラブを、鋳造可能巾範囲が重複するスラブを同一の巾グループとしてグループ化する（Ｓ１１０）。ステップＳ１１０では、同一の鋳造巾で連続鋳造設備により鋳造するスラブをグループ化する。グルーピング部１３０は、ステップＳ１００にてスラブの並び替えを行った順に基づき、キャスト編成対象のスラブを、鋳造可能巾範囲が重複しなくなるまで同一の巾グループにグループ化し、鋳造可能巾範囲が重複しなくなったときに新たな巾グループにグループ化する。このように、各スラブを１または複数の巾グループにまとめていく。
【００３３】
例えば、図４に示す例では、鋳造可能最小巾の昇順にスラブの並び替えを行っている。これより、グルーピング部１３０は、鋳造可能最小巾Ｗｎｍｉｎが最小のスラブ１から順に、鋳造可能巾範囲が重複するものをグループ化していく。図４に示す例では、スラブ１とスラブ２とは、鋳造可能巾（鋳造可能最小巾から鋳造可能最大巾までの間の巾）の重複範囲が重複する重複範囲が存在する。しかし、スラブ３の鋳造可能巾は、スラブ１とスラブ２との重複範囲には含まれない。したがって、グルーピング部１３０は、スラブ１及びスラブ２を同一の巾グループ（巾グループＡ）とし、スラブ３を新たな巾グループ（巾グループＢ）としてグループ化していく。
【００３４】
この処理を繰り返し、図４に示す例では、３つの巾グループ（巾グループＡ〜Ｃ）が生成される。各巾グループのスラブは、後述のステップＳ１２０で決定される同一スラブ巾で製造される。このように、鋳造可能巾が重複するスラブをグループ化し、同一巾グループのスラブを同一スラブ巾で製造することで、スラブ巾の種類を集約することができ、巾切替回数をより低減することができる。
【００３５】
（Ｓ１２０：スラブ巾決定処理）
その後、スラブ巾決定部１４０により、ステップＳ１１０にて生成された各巾グループのスラブ巾を決定する（Ｓ１２０）。具体的には、スラブ巾決定部１４０は、各巾グループに含まれる各スラブの鋳造可能巾の重複範囲から任意のスラブ巾を決定する。例えば、スラブ巾決定部１４０は、重複範囲の中央の値をスラブ巾として決定してもよく、重複範囲の最小値をスラブ巾として決定してもよく、重複範囲の最大値をスラブ巾として決定してもよい。スラブ巾決定部１４０は、決定した各巾グループのスラブ巾を、スラブ並び替え処理部１２０により決定されたスラブの採取順序、グルーピング部１３０により決定された巾グループとともに、キャスト編成情報として出力部１５０へ出力する。
【００３６】
キャスト編成情報には、少なくとも当該キャストでのスラブの採取順序と、各スラブの決定されたスラブ巾とが含まれていればよく、さらに各スラブの属する巾グループも含まれていてもよい。出力部１５０は、このキャスト編成情報を外部端末へ出力可能であり、これにより、外部端末を介してキャスト編成情報をオペレータ等に提示することができる。
【００３７】
［１−４．まとめ］
以上、本発明の第１の実施形態に係るスラブ巾決定方法について説明した。本実施形態によれば、まず、キャスト編成対象のスラブを鋳造可能巾に基づき順番に並べ替える。これにより、巾切替量を最小にすることができ、鋳片の巾切替回数を低減することができる。そして、並び替えたスラブを、鋳造可能巾が重複するスラブをグループ化し、同一巾グループのスラブを同一スラブ巾で製造することで、スラブ巾の種類を集約することができ、巾切替回数をより低減することができる。
【００３８】
＜２．第２の実施形態＞
次に、図５に基づいて、本発明の第２の実施形態に係るスラブ巾決定方法を説明する。図５は、本実施形態に係るスラブ巾決定方法の一例を示すフローチャートである。本実施形態に係るスラブ巾決定方法は、第１の実施形態と比較して、スラブ巾決定処理が相違する。以下では、本実施形態に係るスラブ巾決定方法について、第１の実施形態との相違点を主として説明し、第１の実施形態と同様の処理については詳細な説明を省略する。
【００３９】
なお、本実施形態に係るスラブ巾決定方法も、第１の実施形態と同様、図２に示した情報処理装置１００により実行可能である。したがって、情報処理装置１００の機能構成についての説明は省略する。また、本実施形態に係るスラブ巾決定方法も、同一キャストにて製造可能なスラブについて、鋳造するスラブ巾を決定するための方法であり、すでに同一キャストにて製造可能なスラブがキャスト編成対象として特定されているものとする。
【００４０】
（ステップＳ２００：スラブ並べ替え処理）
まず、スラブ並び替え処理部１２０により、注文スラブ情報取得部１１０から入力された注文スラブ情報に基づいて、各スラブを鋳造順に並び替える（Ｓ２００）。ステップＳ２００のスラブ並べ替え処理は、図３に示したステップＳ１００と同様に行われる。すなわち、スラブ並び替え処理部１２０は、入力された各注文の注文スラブ情報の鋳造可能最小巾及び鋳造可能最大巾に基づき、鋳造可能最小巾の昇順または鋳造可能最大巾の降順のいずれかで、各スラブを鋳造順に並び替える。鋳造可能最小巾または鋳造可能最大巾が同一である場合は、スラブの並び替えが鋳造可能最小巾に基づくときには鋳造可能最大巾が小さい順に並べ、スラブの並び替えが鋳造可能最大巾に基づくときには鋳造可能最小巾が大きい順に並べる。
【００４１】
このように、鋳造可能巾に基づいてスラブを並び替えることで、巾切替量を最小にすることができ、鋳片の巾切替回数を低減することができる。
【００４２】
（ステップＳ２１０：巾グループ化処理）
次いで、グルーピング部１３０により、ステップＳ２００にて並び替えられたスラブを、鋳造可能巾範囲が重複するスラブを同一の巾グループとしてグループ化する（Ｓ２１０）。ステップＳ２１０の巾グループ化処理は、図３に示したステップＳ１１０と同様に行われる。グルーピング部１３０は、ステップＳ２００にてスラブの並び替えを行った順に基づき、キャスト編成対象のスラブを、鋳造可能巾範囲が重複しなくなるまで同一の巾グループにグループ化し、鋳造可能巾範囲が重複しなくなったときに新たな巾グループにグループ化する。このように、各スラブを１または複数の巾グループにまとめていく。
【００４３】
この処理を繰り返して、鋳造可能巾が重複するスラブをグループ化し、同一巾グループのスラブを同一スラブ巾で製造することで、スラブ巾の種類を集約することができ、巾切替回数をより低減することができる。
【００４４】
（Ｓ２２０〜Ｓ２４０：スラブ巾決定処理）
その後、スラブ巾決定部１４０により、ステップＳ２１０にて生成された各巾グループのスラブ巾を決定する。具体的には、まず、スラブ巾決定部１４０は、ステップＳ２１０にて生成された巾グループ数が２以上であるか否かを判定する（Ｓ２２０）。ステップＳ２２０にて巾グループ数が２より少ない場合、すなわち、巾グループ数が１つの場合には、図３に示したステップＳ１２０と同様、スラブ巾決定部１４０は、各巾グループに含まれる各スラブの鋳造可能巾の重複範囲から任意のスラブ巾を決定する（Ｓ２４０）。
【００４５】
一方、ステップＳ２２０にて巾グループ数が２以上と判定した場合、スラブ巾決定部１４０は、まず、鋳造可能巾の重複範囲の最大値が最小である最小巾グループと、鋳造可能巾の重複範囲の最小値が最大である最大巾グループとについて、スラブ巾を決定する（Ｓ２３０）。具体的には、スラブ巾決定部１４０は、最小巾グループのスラブ巾を、最小巾グループの鋳造可能巾の重複範囲の最大値に決定し、最大巾グループのスラブ巾を、最大巾グループの鋳造可能巾の重複範囲の最小値に決定する。これにより、キャスト全体における全巾変更量を最小化することができ、巾切替回数をより低減することができる。
【００４６】
ステップＳ２３０にて最小巾グループ及び最大巾グループのスラブ巾が決定されると、ステップＳ２４０に進み、スラブ巾決定部１４０は、スラブ巾が未決定の巾グループがある場合には、当該巾グループのスラブ巾を決定する（Ｓ２４０）。すなわち、ステップＳ２１０にて生成された巾グループ数が３以上であるとき、ステップＳ２３０及びステップＳ２４０の処理が実行され、巾グループ数が２であるときには、ステップＳ２３０のみ実行され、ステップＳ２４０は実行されない。本実施形態では、最小巾グループ及び最大巾グループ以外の巾グループについては、スラブ巾の決定方法は特に限定されず、上述したように、各巾グループに含まれる各スラブの鋳造可能巾の重複範囲から任意に設定可能である。
【００４７】
ステップＳ２２０〜Ｓ２４０により各巾グループのスラブ巾が決定されると、スラブ巾決定部１４０は、決定した各巾グループのスラブ巾を、スラブ並び替え処理部１２０により決定されたスラブの採取順序、グルーピング部１３０により決定された巾グループとともに、キャスト編成情報として出力部１５０へ出力する。
【００４８】
［２−２．まとめ］
以上、本発明の第２の実施形態に係るスラブ巾決定方法について説明した。本実施形態によれば、第１の実施形態と同様、まず、キャスト編成対象のスラブを鋳造可能巾に基づき順番に並べ替える。これにより、巾切替量を最小にすることができ、鋳片の巾切替回数を低減することができる。そして、並び替えたスラブを、鋳造可能巾が重複するスラブをグループ化し、同一巾グループのスラブを同一スラブ巾で製造することで、スラブ巾の種類を集約することができ、巾切替回数をより低減することができる。
【００４９】
さらに、本実施形態によれば、スラブ巾決定処理において、最小巾グループのスラブ巾を、最小巾グループの鋳造可能巾の重複範囲の最大値に決定し、最大巾グループのスラブ巾を、最大巾グループの鋳造可能巾の重複範囲の最小値に決定する。これにより、キャスト全体における全巾変更量を最小化することができ、巾切替回数をより低減することができる。
【００５０】
＜３．第３の実施形態＞
次に、図６及び図７に基づいて、本発明の第３の実施形態に係るスラブ巾決定方法を説明する。図６は、本実施形態に係るスラブ巾決定方法の他の一例を示すフローチャートである。図７は、図６に示すステップＳ３４０の処理を説明する説明図である。本実施形態に係るスラブ巾決定方法は、上記実施形態と比較して、スラブ巾決定処理がさらに相違する。以下では、本実施形態に係るスラブ巾決定方法について、第２の実施形態との相違点を主として説明し、第２の実施形態と同様の処理については詳細な説明を省略する。
【００５１】
なお、本実施形態に係るスラブ巾決定方法も、上記実施形態と同様、図２に示した情報処理装置１００により実行可能である。したがって、情報処理装置１００の機能構成についての説明は省略する。また、本実施形態に係るスラブ巾決定方法も、同一キャストにて製造可能なスラブについて、鋳造するスラブ巾を決定するための方法であり、すでに同一キャストにて製造可能なスラブがキャスト編成対象として特定されているものとする。
【００５２】
（ステップＳ３００：スラブ並べ替え処理）
まず、スラブ並び替え処理部１２０により、注文スラブ情報取得部１１０から入力された注文スラブ情報に基づいて、各スラブを鋳造順に並び替える（Ｓ３００）。ステップＳ３００のスラブ並べ替え処理は、図５に示したステップＳ２００と同様に行われる。すなわち、スラブ並び替え処理部１２０は、入力された各注文の注文スラブ情報の鋳造可能最小巾及び鋳造可能最大巾に基づき、鋳造可能最小巾の昇順または鋳造可能最大巾の降順のいずれかで、各スラブを鋳造順に並び替える。鋳造可能最小巾または鋳造可能最大巾が同一である場合は、スラブの並び替えが鋳造可能最小巾に基づくときには鋳造可能最大巾が小さい順に並べ、スラブの並び替えが鋳造可能最大巾に基づくときには鋳造可能最小巾が大きい順に並べる。
【００５３】
このように、鋳造可能巾に基づいてスラブを並び替えることで、巾切替量を最小にすることができ、鋳片の巾切替回数を低減することができる。
【００５４】
（ステップＳ３１０：巾グループ化処理）
次いで、グルーピング部１３０により、ステップＳ３００にて並び替えられたスラブを、鋳造可能巾範囲が重複するスラブを同一の巾グループとしてグループ化する（Ｓ３１０）。ステップＳ３１０の巾グループ化処理は、図５に示したステップＳ２１０と同様に行われる。グルーピング部１３０は、ステップＳ３００にてスラブの並び替えを行った順に基づき、キャスト編成対象のスラブを、鋳造可能巾範囲が重複しなくなるまで同一の巾グループにグループ化し、鋳造可能巾範囲が重複しなくなったときに新たな巾グループにグループ化する。このように、各スラブを１または複数の巾グループにまとめていく。
【００５５】
この処理を繰り返して、鋳造可能巾が重複するスラブをグループ化し、同一巾グループのスラブを同一スラブ巾で製造することで、スラブ巾の種類を集約することができ、巾切替回数をより低減することができる。
【００５６】
（Ｓ３２０〜Ｓ３６０：スラブ巾決定処理）
その後、スラブ巾決定部１４０により、ステップＳ３１０にて生成された各巾グループのスラブ巾を決定する。具体的には、まず、スラブ巾決定部１４０は、ステップＳ２１０にて生成された巾グループ数が２以上であるか否かを判定する（Ｓ３２０）。ステップＳ３２０の処理は、図５に示したステップＳ２２０と同様に行われる。ステップＳ３２０にて巾グループ数が２より少ない場合、すなわち、巾グループ数が１つの場合には、スラブ巾決定部１４０は、各巾グループに含まれる各スラブの鋳造可能巾の重複範囲から任意のスラブ巾を決定する（Ｓ３６０）。
【００５７】
一方、ステップＳ３２０にて巾グループ数が２以上と判定した場合、スラブ巾決定部１４０は、まず、鋳造可能巾の重複範囲の最大値が最小である最小巾グループと、鋳造可能巾の重複範囲の最小値が最大である最大巾グループとについて、スラブ巾を決定する（Ｓ３３０）。ステップＳ３３０の処理は、図５に示したステップＳ２３０と同様に行うことができ、スラブ巾決定部１４０は、最小巾グループのスラブ巾を、最小巾グループの鋳造可能巾の重複範囲の最大値に決定し、最大巾グループのスラブ巾を、最大巾グループの鋳造可能巾の重複範囲の最小値に決定する。これにより、キャスト全体における全巾変更量を最小化することができ、巾切替回数をより低減することができる。
【００５８】
ステップＳ３３０にて最小巾グループ及び最大巾グループのスラブ巾が決定されると、スラブ巾決定部１４０は、スラブ巾が未決定の巾グループがあるか否かを判定する（Ｓ３４０）。スラブ巾が未決定の巾グループがある場合には、スラブ巾決定部１４０は、当該巾グループのスラブ巾を、１回の処理で変更可能な巾変更量の上限に基づき決定する（Ｓ３５０）。
【００５９】
ステップＳ３５０の処理の具体例として、最小巾グループを基準として各巾グループのスラブ巾を決定する手順を、図７に基づき説明する。図７は、３つの巾グループがある場合の例であり、各巾グループの鋳造可能巾の重複範囲を示している。便宜上、図７では、スラブの幅方向の一端側のみ示しているが、他方側も同様に処理される。また、巾グループＡ、Ｂ、Ｃの順に、各グループに含まれるスラブの巾が大きくなるものとする。
【００６０】
ＳＴＥＰ０の状態は、ステップＳ３３０までの処理が終了した状態である。ＳＴＥＰ０では、最小巾グループである巾グループＡのスラブ巾が、巾グループＡの鋳造可能巾の重複範囲の最大値に決定されており、最大巾グループである巾グループＣのスラブ巾が、巾グループＣの鋳造可能巾の重複範囲の最小値に決定されている。
【００６１】
次いで、スラブ巾が未決定の巾グループＢのスラブ巾を決定する。まず、最小巾グループまたは最大巾グループのいずれか一方を基準とし、基準とした巾グループから順（昇順または降順）に、巾変更量の上限に基づき、各巾グループのスラブ巾を決定していく。図７に示す例では、最小巾グループである巾グループＡを基準とする。そして、巾グループＡのスラブ巾に、巾変更量の上限を加算し、下記式（１）を満たすように次の巾グループのスラブ巾を決定する。
【００６２】
Ｓ≦Ｗ０＋α×Ｎ（＝Ｗ）≦Ｈ      ・・・（１）
ここで、Ｗ：次の巾グループのスラブ巾
Ｓ：次の巾グループの鋳造可能巾の重複範囲の最小値
Ｈ：次の巾グループの鋳造可能巾の重複範囲の最大値
Ｗ０：基準とする巾グループのスラブ巾
α：１回の処理で変更可能な巾変更量の上限
Ｎ：上記式（１）を満たす最大整数
【００６３】
すなわち、上記式（１）は、巾グループの鋳造可能巾の重複範囲で、かつ、基準とする巾グループのスラブ巾Ｗ０に、巾変更量の上限の整数倍を加算した値を、次の巾グループのスラブ巾として決定するものである。このように、鋳造可能巾の重複範囲から、スラブ巾Ｗ０に巾変更量の上限の整数倍を加算した値をスラブ巾Ｗに決定することで、さらに巾切替回数を低減することができる。
【００６４】
ここで、巾グループの鋳造可能巾の重複範囲に、上記式（１）を満たすスラブ巾が２つ存在する場合には、いずれか１つを当該巾グループのスラブ巾に決定すればよい。このとき、例えば、図７のＳＴＥＰ１に示すように、スラブ巾の候補のうち最大巾のものを、当該巾グループのスラブ巾として決定してもよい。これにより、生産量を高めることができる。最終的に、図７のＳＴＥＰ２に示すように、すべての巾グループＡ、Ｂ、Ｃのスラブ巾がそれぞれ決定される。
【００６５】
また、上記式（１）を満たすスラブ巾が、巾グループの鋳造可能巾の重複範囲に存在しない場合には、当該巾グループのスラブ巾は、ステップＳ３６０と同様、鋳造可能巾の重複範囲から任意に設定すればよい。例えば、鋳造可能巾の重複範囲の最大値を当該巾グループのスラブ巾としてもよい。
【００６６】
なお、図７に示す例では、ステップＳ３５０の処理によりスラブ巾を決定する巾グループは１つのみであったが、さらにスラブ巾が未決定の巾グループが存在する場合には、上記ＳＴＥＰ０〜２を繰り返し行って、スラブ巾を決定すればよい。すなわち、図７においてスラブ巾が決定された巾グループＢを基準として、次の巾グループについて、当該巾グループの鋳造可能巾の重複範囲内であり、かつ、上記式（１）を満たすように、スラブ巾を決定すればよい。
【００６７】
こうしてステップＳ３２０〜Ｓ３６０により各巾グループのスラブ巾が決定されると、スラブ巾決定部１４０は、決定した各巾グループのスラブ巾を、スラブ並び替え処理部１２０により決定されたスラブの採取順序、グルーピング部１３０により決定された巾グループとともに、キャスト編成情報として出力部１５０へ出力する。
【００６８】
以上、本実施形態に係るスラブ巾決定方法について説明した。なお、上記説明では、第２の実施形態に係るスラブ巾決定方法をもとに、さらに、最小巾グループ及び最大巾グループ以外の巾グループのスラブ巾を決定する処理の一例を示したが、本発明はかかる例に限定されない。例えば、第１の実施形態に係るスラブ巾決定方法をもとに、各巾グループのスラブ巾をステップＳ３５０の処理により決定してもよい。すなわち、最小巾グループ及び最大巾グループのいずれかを基準として、基準とする巾グループのスラブ巾を任意に決定する。そして、次の巾グループのスラブ巾を、巾グループの鋳造可能巾の重複範囲で、かつ、上記式（１）を満たすように決定する。当該処理を繰り返すことで、すべての巾グループのスラブ巾を決定することができる。
【００６９】
また、上記ステップＳ３３０では、最小巾グループ及び最大巾グループのスラブ巾を決定したが、本発明はかかる例に限定されない。例えば、ステップＳ３３０では、基準とする最小巾グループまたは最大巾グループのうちいずれか一方の巾グループについてのみ、スラブ巾を決定してもよい。この場合には、残りの巾グループのスラブ巾は、すべてステップＳ３５０の処理により決定してもよい。
【００７０】
［３−２．まとめ］
以上、本発明の第３の実施形態に係るスラブ巾決定方法について説明した。本実施形態によれば、上述の実施形態と同様、まず、キャスト編成対象のスラブを鋳造可能巾に基づき順番に並べ替える。これにより、巾切替量を最小にすることができ、鋳片の巾切替回数を低減することができる。そして、並び替えたスラブを、鋳造可能巾が重複するスラブをグループ化し、同一巾グループのスラブを同一スラブ巾で製造することで、スラブ巾の種類を集約することができ、巾切替回数をより低減することができる。
【００７１】
また、本実施形態によれば、第２の実施形態と同様、スラブ巾決定処理において、最小巾グループのスラブ巾を、最小巾グループの鋳造可能巾の重複範囲の最大値に決定し、最大巾グループのスラブ巾を、最大巾グループの鋳造可能巾の重複範囲の最小値に決定することもできる。これにより、キャスト全体における全巾変更量を最小化することができ、巾切替回数をより低減することができる。
【００７２】
さらに、本実施形態によれば、最小巾グループ及び最大巾グループ以外の巾グループのスラブ巾を、１回の処理で変更可能な巾変更量の上限に基づき決定する。これにより、さらに巾切替回数を低減することが可能となる。
【実施例】
【００７３】
上述の実施形態に係るスラブ巾決定方法の効果を検証すべく、１キャストにおける巾切替に必要なスラブの枚数を算出した。本検証では、１キャストのスラブ数を１０本とし、初期のスラブの並びを品質設計スラブ巾の昇順として、キャスト編成を行った。各スラブの品質設計スラブ巾、鋳造可能巾の最小値及び最大値は同一である。なお、鋳造可能最小巾は、品質設計スラブ巾より１０ｍｍ小さく、鋳造可能最大巾は品質設計スラブ巾より６０ｍｍ大きいものと設定とした。また、鋳造の巾を変更する１スラブあたりの巾変更量αは５０ｍｍとした。
【００７４】
本実施例では、第１の実施形態に係るスラブ巾決定方法を適用した場合を実施例１とし、第２の実施形態に係るスラブ巾決定方法を適用した場合を実施例２とし、第３の実施形態に係るスラブ巾決定方法を適用した場合を実施例３として、それぞれ１キャストにおける巾切替に必要なスラブの枚数を算出した。また、比較例として、初期のスラブの並びを変更せず、各スラブの鋳造可能最大巾をスラブ巾として決定する場合の１キャストにおける巾切替に必要なスラブの枚数を算出した。図８〜図１１に本検証の結果を示す。図８は比較例の結果であり、図９〜図１１は実施例１〜３の結果である。
【００７５】
まず、比較例については、図８に示すように、各スラブの鋳造可能最大巾をスラブ巾として決定し、キャスト編成を行った。このため、各スラブを鋳造する度にスラブ巾を変更する結果となった。また、例えば、スラブ３からスラブ５へのスラブ巾の切り替えにおいては、巾変更量が１スラブ当たりの巾変更量を超えているため、巾切替に２枚のスラブが必要となった。結果として、比較例のキャスト編成では、１キャストにおいて１５枚のスラブが巾切替に必要となる。
【００７６】
次に、第１の実施形態に係るスラブ巾決定方法を適用した実施例１については、図９に示す結果となった。すなわち、鋳造可能最小巾の昇順にスラブを並べ、品質設計スラブ巾が最小のスラブ１から順に、鋳造可能巾に基づきスラブをグループ化した。その結果、図９に示すように、巾グループＡ、Ｂ、Ｃの３つの巾グループが形成された。そして、各巾グループＡ、Ｂ、Ｃについて、鋳造可能巾の重複範囲の中間値をスラブ巾として決定した。
【００７７】
実施例１のキャスト編成では、１キャストで３種のスラブ巾のスラブが製造される。巾グループＡから巾グループＢへは、スラブ巾が１１０ｍｍ変更されるため、巾切替に３枚のスラブが必要となる。また、巾グループＢから巾グループＣへは、スラブ巾が１２０ｍｍ変更されるため、巾切替に３枚のスラブが必要となる。結果として、実施例１のキャスト編成では、１キャストにおいて巾切替に必要なスラブ数は６枚であり、比較例の半分以下の枚数となった。
【００７８】
また、第２の実施形態に係るスラブ巾決定方法を適用した実施例２については、図１０に示す結果となった。すなわち、鋳造可能最小巾の昇順にスラブを並べ、品質設計スラブ巾が最小のスラブ１から順に、鋳造可能巾に基づきスラブをグループ化した。その結果、図１０に示すように、巾グループＡ、Ｂ、Ｃの３つの巾グループが形成された。そして、最小巾グループＡのスラブ巾を鋳造可能巾の重複範囲の最大値とし、最大巾グループＣのスラブ巾を鋳造可能巾の重複範囲の最小値とした。巾グループＢのスラブ巾は、鋳造可能巾の重複範囲の中間値とした。
【００７９】
実施例２のキャスト編成においても、実施例１と同様、１キャストで３種のスラブ巾のスラブが製造される。ここで、巾グループＡから巾グループＢへは、スラブ巾が１０５ｍｍ変更されるため、巾切替に３枚のスラブが必要となる。また、巾グループＢから巾グループＣへは、スラブ巾が９５ｍｍ変更されるため、巾切替に２枚のスラブが必要となる。結果として、実施例２のキャスト編成では、１キャストにおいて巾切替に必要なスラブ数は５枚であり、実施例１よりもさらに１枚巾切替に必要なスラブ数が減少した。
【００８０】
第３の実施形態に係るスラブ巾決定方法を適用した実施例３については、図１１に示す結果となった。すなわち、鋳造可能最小巾の昇順にスラブを並べ、品質設計スラブ巾が最小のスラブ１から順に、鋳造可能巾に基づきスラブをグループ化した。その結果、図１１に示すように、巾グループＡ、Ｂ、Ｃの３つの巾グループが形成された。そして、最小巾グループＡのスラブ巾を鋳造可能巾の重複範囲の最大値とし、最大巾グループＣのスラブ巾を鋳造可能巾の重複範囲の最小値とした。巾グループＢのスラブ巾は、巾グループＡを基準として、巾グループＢの鋳造可能巾の重複範囲内であって、かつ、巾グループＡのスラブ巾に巾変更量αの整数倍を加算した値とした。実施例３では、巾グループＢのスラブ巾は、１１６０ｍｍとなった。
【００８１】
実施例３のキャスト編成においても、実施例１、２と同様、１キャストで３種のスラブ巾のスラブが製造される。ここで、巾グループＡから巾グループＢへのスラブ巾の変更は１００ｍｍとなったことで、巾切替に必要なスラブ数は２枚となった。また、巾グループＢから巾グループＣへのスラブ巾の変更も１００ｍｍであり、巾切替に２枚のスラブが必要となる。結果として、実施例３のキャスト編成では、１キャストにおいて巾切替に必要なスラブ数は４枚であり、実施例２よりもさらに１枚巾切替に必要なスラブ数が減少した。
【００８２】
以上より、上記実施形態に係るスラブ巾決定方法を適用することにより、従来と比較して巾切替に必要なスラブ数を大幅に低減できることが分かった。これより、品質降格やサイズ外れによる材料の不足を抑制できることが期待できる。
【００８３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８４】
１０      注文スラブ情報記憶部
１００    情報処理装置
１１０    注文スラブ情報取得部
１２０    スラブ並び替え処理部
１３０    グルーピング部
１４０    スラブ巾決定部
１５０    出力部
【図１】
2018032270.tif 000003
【図２】
2018032270.tif 000004
【図３】
2018032270.tif 000005
【図４】
2018032270.tif 000006
【図５】
2018032270.tif 000007
【図６】
2018032270.tif 000008
【図７】
2018032270.tif 000009
【図８】
2018032270.tif 000010
【図９】
2018032270.tif 000011
【図１０】
2018032270.tif 000012
【図１１】
2018032270.tif 000013